(57)【要約】      （修正有）【課題】剪断目的枝に固定刃を懸架させ、把手部を下方に引くだけで、剪断力が増幅され、高所に位置する太い枝でも容易に切り落とすことができる高枝切鋏の提供を図る。【解決手段】下端に把手部、上端にラックギヤ２が設けられた長尺物１と、該ラックギヤの長手方向に摺動する固定刃３ａをそなえた摺動板３と、該摺動板の所定箇所に設けた一の枢支穴に枢支されて前記ラックギヤにより駆動される減速ギヤ５ｂが連結されたピニオンギヤ５と、該摺動板の所定箇所に設けた他の枢支穴に枢支されて前記減速ギヤにより駆動される回転刃４とから構成する。【選択図】図３
2007195469.tif 000002
【特許請求の範囲】
【請求項１】
下端に把手部、上端にラックギヤが設けられた長尺物と、
該ラックギヤの長手方向に摺動する摺動板と、
該摺動板の所定箇所に設けた一の枢支穴に枢支されて前記ラックギヤにより駆動される減速ギヤが連結されたピニオンギヤと、
該摺動板の所定箇所に設けた他の枢支穴に枢支されて前記減速ギヤにより駆動される回転刃と、
から成ることを特徴とする高枝切鋏 。
【請求項２】
前記ピニオンギヤの所定箇所に凸部を設けるとともに、ピニオンギヤを被装するカバーを設け、かつ、該凸部を介してピニオンギヤとカバーとの間にぜんまいバネを張着させることで、ピニオンギヤに復元力を与えて前記回転刃が複動することを特徴とする請求項1に記載の高枝切鋏。
【請求項３】
前記長尺物の所定箇所に伸縮構造を設けたことを特徴とする請求項1または請求項２に記載の高枝切鋏。
【発明の詳細な説明】
【技術分野】
【０００１】
本発明は、剪断目的枝に固定刃を懸架させ、把手部を下方に引くだけで、剪断力が増幅され、高所に位置する太い枝でも容易に切り落とすことができる高枝切鋏に関するものである。
【背景技術】
【０００２】
果樹園等においては、樹木間の通気性を良くし、太陽光を広く当てることによって光合成を盛んにさせたり、高いところに果実が付かないようにするなど、種々の事情により剪定作業が必要不可欠である。また、街頭の樹木が生長して、標識を覆ってしまったり、隣接する建物に枝が伸びてしまうことがないように整枝作業が必要となる。これらの作業は樹液の活動が鈍い冬の時期にされることが多く、また、高枝切鋏はその操作に大きな力を必要とするため、高所の枝切作業を行う作業者の肉体的負担は極めて大きいものといえる。
【０００３】
そこで、従来より、高所枝切作業の負担を軽減すべく、種々の高枝切鋏に関する技術が提案されている。例えば、枢支部を基点にして２本の棒状部を延出させ棒状部の揺動操作によって、鋏部の開閉作動させるように構成した枝切鋏がある（特開平７−３０３４２４）。しかし、女性や老人のように力の弱い者にとっては負担が大きいという欠点がある。また、ロープの引き下げ操作によりアーム部材が回動する構造で剪断力を強化した高枝切鋏もあるが（特開平６−１８１６３４）、片腕で本体を把手し、他方の腕でロープ操作を行うため、力が入りにくく作業が安定しない。更に、原動機による回転駆動力を利用した高枝切りチェンソーもある（特開２００２−２５４４０２）。しかし、原動機を用いると、装置自体が大掛かりとなり、重量的にもコスト的にも手軽に作業できるものとはいえない。従って、いずれの技術によっても、前記問題点を解決するには至っていない。
【０００４】
【特許文献１】特開平７−３０３４２４号公報
【特許文献２】特開平６−１８１６３４号公報
【特許文献３】特開２００２−２５４４０２号公報
【発明の開示】
【発明が解決しようとする課題】
【０００５】
上記問題点に鑑み、本発明は、剪断目的枝に固定刃を懸架させ、把手部を下方に引くだけで、剪断力が増幅され、高所に位置する太い枝でも容易に切り落とすことができる高枝切鋏を提供することを目的とする。
【課題を解決するための手段】
【０００６】
前記目的を達成するため、本発明は、下端に把手部、上端にラックギヤが設けられた長尺物と、該ラックギヤの長手方向に摺動する摺動板と、該摺動板の所定箇所に設けた一の枢支穴に枢支されて前記ラックギヤにより駆動される減速ギヤが連結されたピニオンギヤと、該摺動板の所定箇所に設けた他の枢支穴に枢支されて前記減速ギヤにより駆動される回転刃と、から構成されている。
【０００７】
また、本発明は、前記ピニオンギヤの所定箇所に凸部を設けるとともに、ピニオンギヤを被装するカバーを設け、かつ、該凸部を介してピニオンギヤとカバーとの間にぜんまいバネを張着させることで、ピニオンギヤに復元力を与えて前記回転刃が複動する構成とすることもできる。
【０００８】
さらに、本発明は、前記長尺物の所定箇所に伸縮構造を設けた構成とすることもできる。
【発明の効果】
【０００９】
本発明にかかる高枝切鋏によれば、固定刃を剪断目的枝に懸架させるだけで作業が可能となり、従来の枝切鋏のように本体を支える必要がまったくなくなり、作業負担が軽減できると言う有利な効果を奏する。
【００１０】
また、本発明にかかる高枝切鋏によれば、ピニオンギヤの回転力が減速ギヤによって駆動される回転刃の回転力が増幅されるため、わずかな力で太い枝まで切り落とすことができ、お年寄りや女性のように力の弱い者でも高所枝切作業が容易になるという、極めて優れた効果を発揮する。
【００１１】
さらに、本発明にかかる高枝切鋏によれば、従来品と比して、構造がシンプルで部品点数が少ないことから故障が少なく、小型軽量であり、低コストで生産が可能となる有利な効果も有する。
【発明を実施するための最良の形態】
【００１２】
本発明にかかる高枝切鋏は、固定刃３ａに剪断目的枝Ｔを懸架させ、把手部１３を下方に引くだけで、剪断力が増幅され、高所に位置する太い枝でも容易に切り落とすことができることを目的として、下端に把手部１３、上端にラックギヤ２が設けられた長尺物１と、該ラックギヤ２の長手方向に摺動する摺動板３と、該摺動板の所定箇所に設けた一の枢支穴３ｄに枢支されて前記ラックギヤ２により駆動される減速ギヤ５ｄが連結されたピニオンギヤ５と、該摺動板３の所定箇所に設けた他の枢支穴３ｃに枢支されて前記減速ギヤ５ｄにより駆動される回転刃４とから成る構造を採用したことを最大の特徴とするものである。以下、本発明にかかる高枝切鋏の実施形態を、図面に基づいて説明する。
【００１３】
図１は、本発明にかかる高枝切鋏の構成部材を示す分解斜視図である。該高枝切鋏は、長尺物１、摺動板３、回転刃４、ピニオンギヤ５、ぜんまい６、カバー７、枢支軸受８、枢支軸９、固定具１０、固定ネジ１１で、着脱・分離可能に構成されている。
【００１４】
長尺物１は、下端に把手部１３、上端にラックギヤ２が設けられる構成である。長さについては特に限定されるものではなく、一般的な高枝切鋏と同程度の長さを有していればよい。また、長尺物１の所定箇所に伸縮構造１２を設けた構成とすることもできる。該伸縮構造１２を有する構成とした場合は、自由に長尺物１の長さを調整できる効果が得られる。さらに、伸縮構造１２の構造については、ネジ構造やピン等による繋止方法が考えられるが、作業によって緩まないものであればこれに限定されるものではない。さらにまた、素材についても特に限定されるものではなく、一般的な鉄、ステンレス、アルミ合金等の比強度の強い金属又は非鉄金属等が考えられる。該ラックギヤのピッチ及び歯数は、目的とする剪断力の増幅量とスライド量との関係から、ピニオンギヤ５と減速ギヤ５ｂとの歯数比を求め、応力を考慮してピッチを決定する。
【００１５】
摺動板３は、固定刃３ａ、固定部３ｂ、枢支穴３ｃ・枢支穴３ｄを設けた構成である。固定具１０がラックギヤ２を把持し、これを固定ネジ１１により固定部３ｂに固定し、ピニオンギヤ５、枢支軸受８、枢支軸９を介して、ラックギヤ２の長手方向に摺動する。また、該摺動板３は固定刃３ａを有するため、固定刃３ａを一体構造とする場合は、素材は、クラッド材（母材）としての一般的な機械構造用炭素鋼を熱処理したものや合金鋼、あるいは、ステンレス等のクラッド材に、固定刃３ａ部分に合せ材として炭素鋼等を用いるなどの一般的な刃物材の構成が考えられる。
【００１６】
ピニオンギヤ５は、外周部に歯部５ａ、片面内側に減速ギヤ５ｂ、中心に枢支穴５ｄを有する構成である。また、ピニオンギヤに復元力を与えて回転刃４が複動する構成を採用する場合には、該減速ギヤ５ｂの所定箇所にぜんまいバネ６を張着させるための凸部５ｃが設けられる。該ピニオンギヤは、摺動板３の枢支穴３ｄに、枢支軸受８及び枢支軸９によって枢支され、把手部１３を引くことによって、ラックギヤ２に連動して回転し、回転刃４を回動させる。さらに、素材は一般的な歯車材としての機械構造用炭素鋼を焼入れしたもの等が考えられるが、特に限定するものではない。さらにまた、ピッチ円直径や歯数については、目的とする剪断力の増幅量とスライド量との関係から、減速ギヤ５ｂとの歯数比及びピッチを求めて決定されることとなる。
【００１７】
回転刃４は、移動刃４ａ、被駆動歯４ｂ、枢支穴４ｃが設けられる構成である。該回転刃４は、ラックギヤ２、ピニオンギヤ５、減速ギヤ４ｂをそれぞれ介して駆動され、枢支軸９によって枢支穴４ｃに係止され回動する。また、移動刃４ａは移動刃４ａを有するため、一体構造とする場合は、素材はクラッド材（母材）として一般的な機械構造用炭素鋼を熱処理したものや合金鋼、あるいは、ステンレス等のクラッド材に、移動刃４ａ部分に合せ材として炭素鋼等を用いるなどの一般的な刃物材の構成が考えられる。さらに、被駆動歯４ｂの歯数は、移動刃４ａと固定刃３ａとの開口距離を確保できる歯数があればよい。該歯数の計算は、目的とする剪断力の増幅量とスライド量との関係から、減速ギヤ５ｂとの歯数比及びピッチを求めて決定されることとなる。
【００１８】
ピニオンギヤ５に復元力を与えて回転刃４が複動する構成を採用した場合は、前記ピニオンギヤ５の所定箇所に凸部５ｃ、及びピニオンギヤ５を被装するカバー７を設け、かつ、該凸部５ｃを介してピニオンギヤ５とカバー７との間にぜんまいバネ６を張着させる。
【００１９】
図２は、本発明にかかる高枝切鋏の使用状態を示す説明図であり、剪断前の作業開始状態を示している。剪断前は、摺動板３が長尺物１に設けられたラックギヤ２の下方に位置し、移動刃４ａが、固定刃３ａと離れて開口している。かかる開口部に剪断目的枝Ｔを懸架させ、剪断準備が完了する。また、図示はしていないが、固定刃３ａの刃先長さを、移動刃４ａの刃先長さより長くする態様も有効である。かかる態様とした場合は、剪断目的枝Ｔに懸架させやすくなる。
【００２０】
図３は、本発明にかかる高枝切鋏の使用状態を示す説明図であり、剪断中の作業状態を示している。前記剪断準備が完了後、長尺物１の下端に設けられた把手部１３を下方へ引くことにより、ラックギヤ２、ピニオンギヤ５、減速ギヤ５ｂ、被駆動歯４ｂを介して回転刃４が回転し、移動刃４ａと、固定刃３ａとが閉口し、剪断目的枝Ｔを剪断する。
【００２１】
図４は、本発明にかかる高枝切鋏の使用状態を示す実施状態図であり、作業者Ｈは、長尺物１または把手部１３を、片手または両手で下方に引くだけで、高所の枝も容易に剪断することができることを示している。作業者Ｈは自己の体重を加えることができ、更にこれが増幅されるため、特に、太い枝を剪断する場合に有効である。また、ピニオンギヤ５に復元力を与えて回転刃４が複動する構成を採用した場合は、剪断作業後に回転刃４が開口し複動し、作業者Ｈの負担を軽減させ、作業性も向上する。さらに、長尺物１の所定箇所に伸縮構造１２を設けた構成とした場合は、自由に長尺物１の長さを調整でき、低所から高所までの広範囲の剪定作業等が可能となる。
【産業上の利用可能性】
【００２２】
以上の通り、本発明にかかる高枝切鋏によれば、果樹園での剪定作業や、街頭の樹木の整枝作業等、高所の枝切を必要とするあらゆる作業現場において、老若男女を問わず、幅広く利用することが可能である。
【図面の簡単な説明】
【００２３】
【図１】本発明にかかる高枝切鋏の構成部材を示す分解斜視図である。
【図２】本発明にかかる高枝切鋏の使用状態を示す説明図である。
【図３】本発明にかかる高枝切鋏の使用状態を示す説明図である。
【図４】本発明にかかる高枝切鋏の使用状態を示す実施状態図である。
【符号の説明】
【００２４】
１    長尺物
２    ラックギヤ
３    摺動板
３ａ  固定刃
３ｂ  固定部
３ｃ  枢支穴
３ｄ  枢支穴
４    回転刃
４ａ  移動刃
４ｂ  被駆動歯
４ｃ  枢支穴
５    ピニオンギヤ
５ａ  歯部
５ｂ  減速ギヤ
５ｄ  枢支穴
５ｃ  凸部
６    ぜんまいバネ
７    カバー
８    枢支軸受
９    枢支軸
１０    固定具
１１    固定ネジ
１２    伸縮構造
１３    把手部
Ｔ    剪断目的枝
Ｈ    作業者
【図１】
2007195469.tif 000003
【図２】
2007195469.tif 000004
【図３】
2007195469.tif 000005
【図４】
2007195469.tif 000006